(57)【特許請求の範囲】
【請求項１】
回路装置と、
バッテリーと、
処理部と、
前記処理部に対して電源の供給及びデータの入力を行うための外部装置を接続可能な接続部と、
を含み、
前記回路装置は、
前記接続部及び前記処理部に接続される端子と、
前記バッテリーからの電力を前記処理部に供給する電力供給部と、
前記電力供給部を制御する制御部と、
を含み、
前記電力供給部は、
前記バッテリーのバッテリー電圧ＶＢＡＴをｍ／ｎ降圧（ｎは１以上の整数、ｍは１以上（ｎ−１）以下の整数）して前記端子から前記処理部に供給するチャージポンプ回路を含み、
前記制御部は、
前記接続部から前記電源が入力されたことにより前記端子の電圧ＶＯＵＴ’がＶＯＵＴ’＞ＶＢＡＴ×ｍ／ｎである場合に、前記チャージポンプ回路のチャージポンプ動作を停止させることを特徴とする電子機器。
【請求項２】
請求項１において、
前記バッテリー電圧ＶＢＡＴと前記端子の電圧ＶＯＵＴ’が入力され、ＶＯＵＴ’＞ＶＢＡＴ×ｍ／ｎである場合にアクティブになる検出信号を出力する検出回路を含み、
前記制御部は、
前記検出信号がアクティブになった場合に、前記チャージポンプ回路のチャージポンプ動作を停止させることを特徴とする電子機器。
【請求項３】
請求項１又は２において、
前記制御部は、
ＶＯＵＴ’＞ＶＢＡＴ×ｍ／ｎである場合に、前記チャージポンプ回路に含まれるチャージポンプトランジスターのスイッチング信号を非アクティブにして、前記チャージポンプ動作を停止させることを特徴とする電子機器。
【請求項４】
請求項１乃至３のいずれかにおいて、
前記制御部は、
所定の再開条件が満たされた場合に、停止した前記チャージポンプ動作を再開させることを特徴とする電子機器。
【請求項５】
請求項４において、
前記制御部は、
回路装置が含まれる電子機器の操作部に所定の操作情報が入力された場合に、停止した前記チャージポンプ動作を再開させることを特徴とする電子機器。
【請求項６】
請求項１乃至５のいずれかにおいて、
前記電力供給部は、
前記バッテリーに電力を供給して、前記バッテリーを充電する充電部と、
前記チャージポンプ回路を有し、前記バッテリーに充電された電力を前記処理部に供給する放電動作を行う放電部と、
を含むことを特徴とする電子機器。
【請求項７】
請求項６において、
前記電力供給部は、
無接点電力伝送により受電部が受電した電力を前記バッテリーに供給して、前記バッテリーを充電することを特徴とする電子機器。
【請求項８】
請求項６又は７において、
前記制御部は、
着地が検出された場合に、前記放電部の前記放電動作を停止し、取り去り期間において、前記放電部に前記放電動作を行わせることを特徴とする電子機器。
【発明の詳細な説明】
【技術分野】
【０００１】
本発明は、電子機器等に関する。
【背景技術】
【０００２】
近年、モバイル機器等の電源としてバッテリー（二次電池）が広く普及している。バッテリーは充電することにより繰り返し利用できるが、その際にはバッテリーの特性に応じた手法で充電することが推奨される。
【０００３】
バッテリーを充電する手法の従来技術としては、例えば特許文献１に開示される技術がある。この従来技術では、バッテリーの充電電圧と温度、端子電圧を測定し、その測定値が許容範囲を逸脱した場合には充電電圧の印加を一旦中断し、測定値が許容範囲に入ったら充電電圧の印加を再開する。
【先行技術文献】
【特許文献】
【０００４】
【特許文献１】特開平１０−９８８３６号公報
【発明の概要】
【発明が解決しようとする課題】
【０００５】
バッテリーから電力供給対象へ電力を供給する経路は、その電力供給対象の仕様等に応じて種々想定できる。例えばバッテリーの出力電圧よりも電力供給対象の動作電圧が低い場合には、バッテリーの出力電圧をチャージポンプ回路で降圧して電力供給対象へ供給することが考えられる。このとき、チャージポンプ回路の出力に何らかの電圧が印加される場合がある。例えば、補聴器ではチューニング用の装置から補聴器へ電源が供給され、その電源電圧がチャージポンプ回路の出力に印加されることになる。そうすると、バッテリーの出力電圧を降圧した電圧とチャージポンプ回路の出力に印加された電圧との条件によっては、チャージポンプ回路からバッテリーへの制御されない充電が発生し、バッテリーに過電圧或いは過電流が印加される可能性がある。
【０００６】
本発明の幾つかの態様によれば、チャージポンプ回路からバッテリーへ過電圧或いは過電流が印加されることを抑制する回路装置、受電装置及び電子機器等を提供できる。
【課題を解決するための手段】
【０００７】
本発明の一態様は、バッテリーからの電力を電力供給対象に供給する電力供給部と、前記電力供給部を制御する制御部と、を含み、前記電力供給部は、前記バッテリーのバッテリー電圧ＶＢＡＴをｍ／ｎ降圧（ｎは１以上の整数、ｍは１以上（ｎ−１）以下の整数）して端子から前記電力供給対象に供給するチャージポンプ回路を含み、前記制御部は、前記端子の電圧ＶＯＵＴ’がＶＯＵＴ’＞ＶＢＡＴ×ｍ／ｎである場合に、前記チャージポンプ回路のチャージポンプ動作を停止させる回路装置に関係する。
【０００８】
バッテリー電圧ＶＢＡＴがｍ／ｎ降圧された電圧よりも高い電圧がチャージポンプ回路の出力に印加された場合に、ＶＯＵＴ’＞ＶＢＡＴ×ｍ／ｎとなる。本発明の一態様によれば、ＶＯＵＴ’＞ＶＢＡＴ×ｍ／ｎである場合に、チャージポンプ回路のチャージポンプ動作が停止される。これにより、バッテリー電圧ＶＢＡＴがｍ／ｎ降圧された電圧よりも高い電圧がチャージポンプ回路の出力に印加された場合に、チャージポンプ回路のチャージポンプ動作が停止できる。チャージポンプ動作が停止することで、チャージポンプ回路からバッテリーへ過電圧或いは過電流が印加されることを抑制できる。
【０００９】
また本発明の一態様では、回路装置は、前記バッテリー電圧ＶＢＡＴと前記端子の電圧ＶＯＵＴ’が入力され、ＶＯＵＴ’＞ＶＢＡＴ×ｍ／ｎである場合にアクティブになる検出信号を出力する検出回路を含み、前記制御部は、前記検出信号がアクティブになった場合に、前記チャージポンプ回路のチャージポンプ動作を停止させてもよい。
【００１０】
このようにすれば、バッテリー電圧ＶＢＡＴと端子の電圧ＶＯＵＴ’に基づいてＶＯＵＴ’＞ＶＢＡＴ×ｍ／ｎを満たすか否かを検出できる。そして、その検出結果である検出信号に基づいて、ＶＯＵＴ’＞ＶＢＡＴ×ｍ／ｎである場合にチャージポンプ動作を停止できる。
【００１１】
また本発明の一態様では、前記制御部は、ＶＯＵＴ’＞ＶＢＡＴ×ｍ／ｎである場合に、前記チャージポンプ回路に含まれるチャージポンプトランジスターのスイッチング信号を非アクティブにして、前記チャージポンプ動作を停止させてもよい。
【００１２】
スイッチング信号を非アクティブにすることでキャパシターのスイッチングが停止するので、チャージポンプ回路による電圧変換（電荷の移動）を停止できる。これにより、チャージポンプ回路からバッテリーへの充電経路が遮断され、バッテリーを保護できる。
【００１３】
また本発明の一態様では、前記制御部は、定の再開条件が満たされた場合に、停止した前記チャージポンプ動作を再開させてもよい。
【００１４】
このようにすれば、ＶＯＵＴ’＞ＶＢＡＴ×ｍ／ｎを満たした場合に一旦停止したチャージポンプ動作を、所定の再開条件が満たされた場合に再び開始させることができる。例えば、上述した補聴器の例において、チューニングが終了して、所定の再開条件が満たされた場合にチャージポンプ動作を再開させ、補聴器への電力供給を再開できる。
【００１５】
また本発明の一態様では、前記制御部は、回路装置が含まれる電子機器の操作部に所定の操作情報が入力された場合に、停止した前記チャージポンプ動作を再開させてもよい。
【００１６】
このようにすれば、ＶＯＵＴ’＞ＶＢＡＴ×ｍ／ｎを満たさなくなった（即ち、チャージポンプ回路の出力に電圧が印加されなくなった）後に、例えばユーザー等が操作部に所定の操作を行うことによりチャージポンプ動作を再開させることができる。
【００１７】
また本発明の一態様では、前記電力供給部は、前記バッテリーに電力を供給して、前記バッテリーを充電する充電部と、前記チャージポンプ回路を有し、前記バッテリーに充電された電力を前記電力供給対象に供給する放電動作を行う放電部と、を含んでもよい。
【００１８】
このような構成では、放電部からバッテリーの端子へ電圧或いは電流が供給された場合には、充電部からバッテリーへの充電経路とは異なる経路でバッテリーが充電される。本発明の一態様によれば、このような充電部による制御がされていない充電経路でバッテリーに過電圧或いは過電流が印加されることを抑制できる。
【００１９】
また本発明の一態様では、前記電力供給部は、無接点電力伝送により受電部が受電した電力を前記バッテリーに供給して、前記バッテリーを充電してもよい。
【００２０】
無接点電力伝送では、送電装置に受電装置を着地させている場合に電力伝送が可能となり、送電装置から受電装置を取り去った場合に電力伝送が停止する。この取り去りはユーザーの任意のタイミングで行われる可能性があり、その際のバッテリー電圧は不確定である。本発明の一態様によれば、このようなバッテリー電圧が不確定な状態でチャージポンプ回路の出力に電圧が印加された場合であっても、バッテリーを保護できる。
【００２１】
また本発明の一態様では、前記制御部は、着地が検出された場合に、前記放電部の前記放電動作を停止し、取り去り期間において、前記放電部に前記放電動作を行わせてもよい。
【００２２】
このように取り去り期間において放電部に放電動作を行わせた場合、送電装置から受電装置を取り去るとバッテリーから電力供給対象への電力供給が開始されることになる。例えば上述した補聴器の例では、チューニング前には基本的に電力供給がオンした状態となっている。そのため、例えば操作忘れ等によって電力供給（チャージポンプ動作）をオフすることなくチューニング装置が補聴器に接続される可能性がある。本発明の一態様によれば、このようなチャージポンプ回路の出力への電圧印加が生じた場合であっても、バッテリーを保護できる。
【００２３】
また本発明の他の態様は、上記のいずれかに記載された回路装置を含む受電装置に関係する。
【００２４】
また本発明の更に他の態様は、上記のいずれかに記載された回路装置を含む電子機器に関係する。
【図面の簡単な説明】
【００２５】
【図１】本実施形態の回路装置を含む補聴器（電子機器）の構成例。
【図２】チューニング装置を補聴器に接続した際のバッテリーの出力電流の例。
【図３】本実施形態の回路装置の構成例。
【図４】検出回路の詳細な構成例。
【図５Ａ】チャージポンプ回路の詳細な構成例。
【図５Ｂ】チャージポンプ回路の詳細な構成例。
【図６Ａ】本実施形態の無接点電力伝送システムの説明図。
【図６Ｂ】本実施形態の無接点電力伝送システムの説明図。
【図７】本実施形態の制御装置、送電装置、受電装置の構成例。
【図８】本実施形態の制御装置、送電装置、受電装置の詳細な構成例。
【図９】無接点電力伝送システムの動作シーケンスの一例の説明図。
【図１０】着地検出時の動作シーケンスを説明する信号波形図。
【図１１】取り去り時の動作シーケンスを説明する信号波形図。
【図１２】取り去り時の動作シーケンスを説明する信号波形図。
【図１３】負荷変調による通信手法の説明図。
【図１４】受電部、充電部の詳細な構成例。
【発明を実施するための形態】
【００２６】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００２７】
例えば、以下では電子機器が補聴器である場合を例にとって説明するが、本発明を適用できる電子機器は補聴器に限定されない。例えば、チャージポンプ回路の出力が何らかの電源等にショートする可能性がある電子機器であれば本発明を適用できる。
【００２８】
１．補聴器（電子機器）
図１は、本実施形態の回路装置を含む補聴器（電子機器）の構成例である。図１の補聴器３００は、処理部３１０（処理回路、電力供給対象）、回路装置３７０、バッテリー９０（二次電池）、マイクロフォン３２０、スピーカー３３０、メモリー３４０（記憶装置）、操作部３５０（操作装置）、接続部３６０（インターフェース）を含む。
【００２９】
回路装置３７０は、補聴器３００の外部から供給される電力に基づいてバッテリー９０を充電する。例えば有線或いは無接点電力伝送により電力が回路装置３７０へ供給される。また回路装置３７０はチャージポンプ回路６１を含み、チャージポンプ回路６１はバッテリー９０の出力電圧ＶＢＡＴ（バッテリー電圧）を降圧して電圧ＶＯＵＴを処理部３１０へ供給する。回路装置３７０は、例えば集積回路装置（ＩＣ）などにより実現できる。
【００３０】
マイクロフォン３２０は、補聴器３００へ入力される音声を電気信号に変換する。処理部３１０は、マイクロフォン３２０からの電気信号を信号処理（例えば増幅処理やフィルター処理）してスピーカー３３０へ出力する。そしてスピーカー３３０は、処理部３１０からの信号を音声に変換する。このようにして、増幅等の信号処理された音声がユーザーに提供される。
【００３１】
なお、メモリー３４０は例えば補聴器３００の設定情報を記憶したり、或いは処理部３１０のワーキングメモリーとして機能する。例えばメモリー３４０はＲＡＭや不揮発性メモリー（例えばＥＥＰＲＯＭ）である。操作部３５０は、医師やユーザーが操作入力を行うものであり、例えばボタンやスイッチ等である。処理部３１０は、例えばアナログ処理回路、或いはデジタル処理回路、或いはそれらの組み合わせである。例えば処理部３１０はＤＳＰ、マイクロコンピューター、ＣＰＵ、ＡＳＩＣ等である。
【００３２】
このような補聴器３００では、医師が患者の聴力に合わせたチューニングを行う際に、補聴器３００の接続部３６０をチューニング装置４００に接続して調整を行う。接続部３６０は例えば端子やコネクター等であり、チューニング装置４００から補聴器３００へ例えば電源の供給やデータの入出力等が行えるようになっている。このようなチューニング装置４００では、補聴器３００の処理部３１０に規定の電圧ＶＰＲＯＧを与え、その規定の電圧のもとでチューニングを行うことが標準になっている。即ち、チューニング装置４００を補聴器３００に接続した状態ではチャージポンプ回路６１の出力にチューニング装置４００からの電圧ＶＰＲＯＧが印加された状態となる。
【００３３】
このとき、医師が操作部３５０を操作してチャージポンプ回路６１をオフしていることが望ましいが、必ずしもオフ操作が行われる保証はなく、チャージポンプ回路６１が動作した状態でチャージポンプ回路６１の出力（端子３７１）に電圧ＶＰＲＯＧが印加される可能性がある。チャージポンプ回路６１はキャパシターのスイッチングにより電荷を移動させているため、出力側に印加された電圧を昇圧して入力側から出力してしまう場合がある。このような状態になると、チャージポンプ回路６１からバッテリー９０への充電が生じることになるが、これは回路装置３７０からバッテリー９０への通常の充電経路とは異なっている。そのため、適切に制御された充電経路ではなく、バッテリー９０へ過電圧や過電流が入力されてしまう可能性がある。
【００３４】
図２は、チューニング装置４００を補聴器３００に接続した際のバッテリー９０の出力電流ｉｂａｔの例である。図２には、チャージポンプ回路６１の出力電圧はＶＯＵＴ＝ＶＢＡＴ×（１／３）であり、ＶＰＲＯＧ＝１．３３３Ｖである場合の例を示す。バッテリー９０の出力電流ｉｂａｔの符号は、バッテリー９０から電流が出力される場合を正、バッテリー９０へ電流が入力される場合を負としている。
【００３５】
図２に示すように、ＶＢＡＴ＞４．０００Ｖの場合にはＶＢＡＴ×（１／３）＞１．３３３Ｖ＝ＶＰＲＯＧである。この場合、チャージポンプ回路６１は入力側から出力側へ電荷を移動させる。即ち、ｉｂａｔ＞０ｍＡであり、バッテリー９０は放電状態となる。
【００３６】
一方、ＶＢＡＴ＜４．０００Ｖの場合にはＶＢＡＴ×（１／３）＜１．３３３Ｖ＝ＶＰＲＯＧである。この場合、チャージポンプ回路６１は出力側から入力側へ電荷を移動させる。即ち、出力側から入力側への３倍昇圧回路として機能し、ＶＢＡＴよりも高い１．３３３Ｖ×３＝４．０００Ｖをバッテリー９０の端子へ供給することになる。この場合、ｉｂａｔ＜０ｍＡであり、その電流によってバッテリー９０は充電されることになる。
【００３７】
例えば、ｉｂａｔ＜−２ｍＡの場合にバッテリー９０の特性低下等が生じる可能性がある場合、バッテリー９０の出力電圧で見るとＶＢＡＴ＜３．９００Ｖに相当する。チューニング時においてバッテリー９０の出力電圧ＶＢＡＴがどのような電圧であるかは不明であるため、ＶＢＡＴ＜３．９００Ｖでチューニング装置４００が接続される可能性がある。
【００３８】
２．回路装置
図３は、上記のような課題を解決できる本実施形態の回路装置の構成例である。図３の回路装置３７０は、バッテリー９０からの電力を電力供給対象１００に供給する電力供給部５７（電力供給回路）と、電力供給部５７を制御する制御部５４（制御回路）と、を含む。また、チャージポンプ回路６１の出力電圧ＶＯＵＴが出力される端子３７１（チャージポンプ回路６１の出力に接続された端子）を含むことができる。なお、端子３７１は例えば集積回路装置の端子であり、例えば半導体チップのパッド、或いは半導体チップが実装されたパッケージの端子に対応する。
【００３９】
そして電力供給部５７は、バッテリー９０のバッテリー電圧ＶＢＡＴをｍ／ｎ降圧して端子３７１から電力供給対象１００に供給するチャージポンプ回路６１を含む。ここで、ｎは１以上の整数であり、ｍは１以上（ｎ−１）以下の整数である。制御部５４は、端子３７１の電圧ＶＯＵＴ’がＶＯＵＴ’＞ＶＢＡＴ×ｍ／ｎである場合に、チャージポンプ回路６１のチャージポンプ動作を停止させる。
【００４０】
チャージポンプ回路６１の出力（端子３７１）に電力供給対象１００が接続され、外部からの電圧が印加されていない場合には、端子３７１の電圧はＶＯＵＴ’＝ＶＯＵＴ≦ＶＢＡＴ×ｍ／ｎとなるはずである。即ち、ＶＯＵＴ’＞ＶＢＡＴ×ｍ／ｎである場合にチャージポンプ動作を停止することで、チャージポンプ回路６１の出力に外部からの電圧（例えば図１ではＶＰＲＯＧ＝ＶＯＵＴ’）が印加された場合にチャージポンプ動作を停止できる。また、ＶＯＵＴ’＞ＶＢＡＴ×ｍ／ｎである場合にはチャージポンプ回路６１の入力ノードが昇圧電圧ＶＯＵＴ’×ｎ／ｍ＞ＶＢＡＴとなり、バッテリー９０の端子にバッテリー電圧ＶＢＡＴよりも高い電圧が印加される。本願では、このような場合にチャージポンプ動作を停止できるので、バッテリー９０の端子に過電圧或いは過電流が印加されることを抑制し、バッテリー９０を保護できる。
【００４１】
なお、「ＶＯＵＴ’＞ＶＢＡＴ×ｍ／ｎ」の条件は、比較電圧がＶＢＡＴ’×ｍ／ｎである場合に限らず、ＶＢＡＴ×ｍ／ｎ以上の比較電圧よりも電圧ＶＯＵＴ’が高ければよい。例えば、１以上の係数をＫＳとする場合において、ＶＯＵＴ’＞ＫＳ×ＶＢＡＴ×ｍ／ｎである場合にチャージポンプ動作を停止してもよい。例えば図２で説明したようにＶＢＡＴ＝３．９０００Ｖを境界にする場合、ＫＳは約１．０２５となる。
【００４２】
ここで、チャージポンプ動作とは、チャージポンプ回路がキャパシターの接続をスイッチングすることにより電圧変換（電荷の移動）を行う動作のことである。即ち、チャージポンプ動作の停止とは、キャパシターの接続をスイッチングする動作を停止させ、電圧変換（電荷の移動）を停止させることである。
【００４３】
また本実施形態の回路装置３７０は、バッテリー電圧ＶＢＡＴと端子３７１の電圧ＶＯＵＴ’が入力され、ＶＯＵＴ’＞ＶＢＡＴ×ｍ／ｎである場合にアクティブになる検出信号ＳＤＴを出力する検出回路６８を含む。そして制御部５４は、検出信号ＳＤＴがアクティブ（第１論理レベル）になった場合に、チャージポンプ回路６１のチャージポンプ動作を停止させる。
【００４４】
このようにすれば、バッテリー電圧ＶＢＡＴと端子３７１の電圧ＶＯＵＴ’に基づいて、検出回路６８はＶＯＵＴ’＞ＶＢＡＴ×ｍ／ｎを満たすか否かを検出できる。そして、その検出結果である検出信号ＳＤＴに基づいてチャージポンプ動作を停止できる。
【００４５】
また本実施形態では、制御部５４は、ＶＯＵＴ’＞ＶＢＡＴ×ｍ／ｎである場合に、チャージポンプ回路６１に含まれるチャージポンプトランジスターのスイッチング信号を非アクティブにして、チャージポンプ動作を停止させる。
【００４６】
スイッチング信号を非アクティブにすることでキャパシターのスイッチングが停止するので、チャージポンプ回路６１による電圧変換を停止できる。これにより、チャージポンプ回路６１からバッテリー９０への充電経路が遮断され、バッテリー９０を保護できる。
【００４７】
ここで、チャージポンプトランジスターとは、チャージポンプ回路６１のキャパシターの接続をスイッチングするトランジスター（広義にはスイッチ素子）である。例えば図５Ａ、図５Ｂで後述するチャージポンプ回路では、スイッチ素子ＳＢ１〜ＳＢ７を構成するトランジスターがチャージポンプトランジスターに相当する。スイッチング信号は、チャージポンプトランジスターのオン及びオフを制御する信号である。「スイッチング信号を非アクティブにする」とは、スイッチング信号の論理レベルをハイ又はローに固定して、論理レベルのスイッチングを停止することである。
【００４８】
また本実施形態では、制御部５４は、所定の再開条件が満たされた場合に、停止したチャージポンプ動作を再開させる。
【００４９】
このようにすれば、ＶＯＵＴ’＞ＶＢＡＴ×ｍ／ｎを満たした場合に一旦停止したチャージポンプ動作を、所定の再開条件が満たされた場合に再び開始させることができる。例えば、上述した補聴器の例では、チューニングが終了して、所定の再開条件が満たされた場合にチャージポンプ動作を再開させ、処理部３１０への電力供給を再開できる。
【００５０】
例えば制御部５４は、回路装置３７０が含まれる電子機器の操作部（例えば補聴器３００の操作部３５０）に所定の操作情報が入力された場合に、停止したチャージポンプ動作を再開させる。
【００５１】
このようにすれば、ＶＯＵＴ’＞ＶＢＡＴ×ｍ／ｎを満たさなくなった（即ち、チャージポンプ回路６１の出力に電圧が印加されなくなった）後に、ユーザー等が所定の操作を行った場合にチャージポンプ動作を再開させることができる。例えば、操作部がスイッチ部（スイッチ、ボタン）である場合、そのスイッチ部に対して所定の操作（例えばスイッチ部を所定時間押し続ける等）を行った場合にチャージポンプ動作を再開できる。
【００５２】
或いは、制御部５４は、検出信号ＳＤＴが非アクティブ（第２論理レベル）になった場合に、チャージポンプ回路６１のチャージポンプ動作を行わせて（再開させて）もよい。
【００５３】
このようにすれば、ＶＯＵＴ’＞ＶＢＡＴ×ｍ／ｎを満たさなくなった（即ち、チャージポンプ回路６１の出力に電圧が印加されなくなった）場合に、自動的にチャージポンプ動作を再開させ、電力供給対象１００に電力を供給できる。これにより、チューニング時においてバッテリー９０を保護すると共に、チューニング後においてユーザーが特別に操作を行うことなく補聴器の動作を再開できる。
【００５４】
また本実施形態では、図８等で後述するように、電力供給部５７は充電部５８（充電回路）と放電部６０（放電回路）とを含んでもよい。充電部５８は、バッテリー９０に電力を供給して、バッテリー９０を充電する。放電部６０は、チャージポンプ回路６１を有し、バッテリー９０に充電された電力を電力供給対象１００に供給する放電動作を行う。
【００５５】
このような構成では、充電時には充電部５８がバッテリー９０の端子に電流又は電圧を印加し、放電時には放電部６０がバッテリー９０の端子からの電力を電力供給対象１００に供給する。即ち、放電部６０からバッテリー９０の端子へ電圧或いは電流を出力した場合には、充電部５８からの充電経路とは異なる経路でバッテリー９０が充電される。本実施形態では、このような充電部５８による制御がされていない充電経路でバッテリー９０が充電されることを防ぐことができる。
【００５６】
また本実施形態の回路装置は、図６以降で後述するように、無接点電力伝送システムの受電装置４０の制御装置５０（回路装置）であってもよい。なお、この場合に限定されず本実施形態の回路装置は受電装置４０以外の電子機器にも適用可能である。
【００５７】
本実施形態の回路装置を受電装置４０に適用した場合、電力供給部５７は、無接点電力伝送により受電部５２が受電した電力をバッテリー９０に供給して、バッテリー９０を充電する。
【００５８】
このようにすれば、無接点電力伝送で供給された電力によりバッテリー９０を充電し、そのバッテリー９０に充電された電力を電力供給対象１００に供給できる。無接点電力伝送では、所定の条件を満たしたとき、例えば送電装置１０に受電装置４０を着地（接近）させている場合に電力伝送が可能となる。そして、所定の条件を満たさなくなったとき、例えば送電装置１０から受電装置４０を取り去った場合に電力伝送が停止する。この取り去りはユーザーの任意のタイミングで行われる可能性があり、その際のバッテリー電圧ＶＢＡＴは不確定である。本実施形態では、このようなバッテリー電圧ＶＢＡＴが不確定な状態でチャージポンプ回路６１の出力に電圧が印加された場合であっても、バッテリー９０を保護できる。
【００５９】
また本実施形態の回路装置を受電装置４０に適用した場合、制御部５４は、着地が検出された場合に、放電部６０の放電動作を停止し、取り去り期間において、放電部６０に放電動作を行わせる。
【００６０】
このように取り去り期間において放電部６０に放電動作を行わせた場合、送電装置１０から受電装置４０を取り去るとバッテリー９０から電力供給対象１００への電力供給が開始されることになる。例えば上述した補聴器の例では、チューニング前には基本的に電力供給がオンした状態となっている。そのため、例えば操作忘れ等によって電力供給（チャージポンプ動作）をオフすることなくチューニング装置４００が補聴器３００に接続される可能性がある。本実施形態では、このような接続が行われた場合であっても、バッテリー９０を保護できる。
【００６１】
また本実施形態の回路装置を受電装置４０に適用した場合、制御部５４は、受電部５２の出力電圧ＶＣＣ（整流電圧）が低下し、放電動作の起動期間が経過した後に、放電部６０の放電動作を開始する。
【００６２】
具体的には、制御部５４は、受電部５２の出力電圧ＶＣＣが判定電圧（図１１のＣ４）を下回ってから起動期間（図１１のＴＳＴ）が経過した後に、放電部６０の放電動作を開始する（図１１のＣ８）。
【００６３】
このようにすれば、上述のように取り去り期間において放電部６０に放電動作を行わせることができる。そして、この状態でチューニング装置４００が補聴器３００に接続された場合であっても、バッテリー９０を保護できる。
【００６４】
また、受電部５２の出力電圧ＶＣＣが低下した場合にも、放電動作の起動期間ＴＳＴが経過しない限り、バッテリー９０の放電動作は行われないようになる。そして、起動期間ＴＳＴが経過すると、バッテリー９０からの電力が放電されて、電力供給対象１００に電力が供給されるようになる。このようにすれば、バッテリー９０が不必要に放電されて、必要以上に再充電が行われてしまう事態を抑制できる。従って、再充電によるバッテリー９０の特性劣化等を抑制できる。また、不必要にバッテリー９０が放電されないことで省電力化も実現できるようになる。
【００６５】
また本実施形態の回路装置を受電装置４０に適用した場合、制御部５４は、受電装置４０が送電装置１０から取り去られている取り去り期間において、スイッチ部５１４（スイッチ、ボタン。広義には操作部）の操作状態の監視結果に基づいて、放電動作をオンからオフ又はオフからオンに切り替えてもよい。この場合、制御装置５０（回路装置）はスイッチの操作状態を監視する不図示の監視部を含んでもよい。
【００６６】
このようにすれば、スイッチ部の操作状態に応じて放電動作（チャージポンプ動作）をオンからオフ又はオフからオンに切り替えることができる。例えば、スイッチ部５１４を所定時間押し続ける操作が行われた場合に、放電動作（チャージポンプ動作）をオンからオフ又はオフからオンに切り替える。補聴器３００のチューニング時において、このスイッチ部５１４の操作によって放電動作をオフすることが可能であるが、必ずしもこの手順が守られるとは限らない。本実施形態では、チューニング時にスイッチ部５１４によるオフ操作が行われなかった場合であってもバッテリー９０を保護できる。
【００６７】
３．検出回路
図４に、検出回路６８の詳細な構成例を示す。検出回路６８は、コンパレーターＣＰＡ（電圧比較回路）、抵抗ＲＡ１、ＲＡ２を含む。
【００６８】
抵抗ＲＡ１、ＲＡ２は直列に接続されており、バッテリー電圧ＶＢＡＴと基準電圧（例えば低電位側電源電圧、グランド電圧）との間を抵抗分割し、その分割電圧ＶＡ１をノードＮＡ１に出力する。ノードＮＡ１は、コンパレーターＣＰＡの第１入力ノード（正極性入力ノード）である。コンパレーターＣＰＡの第２入力ノードＮＡ２（負極性入力ノード）には、端子３７１の電圧ＶＯＵＴ’（外部からＶＰＲＯＧ等の電圧が印加されていない場合には、チャージポンプ回路６１の出力電圧ＶＯＵＴ）が入力される。
【００６９】
抵抗ＲＡ１、ＲＡ２の抵抗比は、分割電圧ＶＡ１＝ＫＳ×ＶＢＡＴ×ｍ／ｎとなるように設定される。そして、ＶＯＵＴ’＞ＫＳ×ＶＢＡＴ×ｍ／ｎである場合にはコンパレーターＣＰＡはローレベル（アクティブ）の検出信号ＳＤＴを出力する。一方、ＶＯＵＴ’＜ＫＳ×ＶＢＡＴ×ｍ／ｎである場合にはコンパレーターＣＰＡはハイレベル（非アクティブ）の検出信号ＳＤＴを出力する。
【００７０】
４．チャージポンプ回路
図５Ａ、図５Ｂに、チャージポンプ回路６１の詳細な構成例を示す。図５Ａには第１相でのスイッチング状態を示し、図５Ｂには第２相でのスイッチング状態を示す。なお、ここでは（１／３）降圧のチャージポンプ回路の構成例を説明するが、チャージポンプ回路の降圧比は（１／３）に限定されない。
【００７１】
チャージポンプ回路６１は、キャパシターＣＢ１〜ＣＢ３、スイッチ素子ＳＢ１〜ＳＢ７を含む。キャパシターＣＢ１〜ＣＢ３の容量は同一（略同一を含む）である。スイッチ素子ＳＢ１〜ＳＢ７は、例えばトランジスターで構成できる。スイッチ素子ＳＢ１〜ＳＢ７のオン及びオフを制御する信号は、制御部５４から供給される。
【００７２】
図５Ａの第１相では、スイッチ素子ＳＢ１〜ＳＢ３がオンになり、スイッチ素子ＳＢ４〜ＳＢ７がオフになる。キャパシターＣＢ１〜ＣＢ３はバッテリー電圧ＶＢＡＴのノードＮＢ１と基準電圧のノードとの間に直列に接続される。各キャパシターには、ＶＢＡＴ×（１／３）の電圧が印加され、それに応じた電荷がチャージされる。
【００７３】
図５Ｂの第２相では、スイッチ素子ＳＢ１〜ＳＢ３がオフになり、スイッチ素子ＳＢ４〜ＳＢ７がオンになる。キャパシターＣＢ１〜ＣＢ３は出力電圧ＶＯＵＴのノードＮＢ２と基準電圧のノードとの間に並列に接続される。そして、第１相で各キャパシターに充電された電圧ＶＢＡＴ×（１／３）が出力電圧ＶＯＵＴとして出力される。
【００７４】
出力ノードＮＢ２にチューニング装置４００から電圧ＶＰＲＯＧが印加され、出力ノードＮＢ２の電圧（端子３７１の電圧）がＶＯＵＴ’＝ＶＰＲＯＧ＞ＶＢＡＴ×（１／３）となったとする。この場合、第２相で各キャパシターにＶＯＵＴ’＝ＶＰＲＯＧの電圧が印加され、それに応じた電荷がチャージされる。そして第１相でＶＯＵＴ’×３＝ＶＰＲＯＧ×３＞ＶＢＡＴが入力ノードＮＢ１に出力される。このように、チャージポンプ回路６１は入力ノードＮＢ１と出力ノードＮＢ２の間で電荷を移動させているだけなので、入力ノードＮＢ１に入力電圧（バッテリー電圧ＶＢＡＴ）よりも高い電圧が出力される場合がある。本実施形態では、このような場合にチャージポンプ動作を停止することができ、バッテリー９０を保護できる。
【００７５】
５．無接点電力伝送システム
以下、本実施形態の回路装置を無接点電力伝送システムの受電装置に適用した場合を例にとり、回路装置及び回路装置を含む電子機器の詳細を説明する。
【００７６】
図６Ａに本実施形態の無接点電力伝送システムの一例を示す。充電器５００（電子機器の１つ）は送電装置１０を有する。電子機器５１０は受電装置４０を有する。また電子機器５１０は、操作用のスイッチ部５１４（広義には操作部）やバッテリー９０を有する。なお図６Ａではバッテリー９０を模式的に示しているが、このバッテリー９０は実際には電子機器５１０に内蔵されている。図６Ａの送電装置１０と受電装置４０により本実施形態の無接点電力伝送システムが構成される。
【００７７】
充電器５００には、電源アダプター５０２を介して電力が供給され、この電力が、無接点電力伝送により送電装置１０から受電装置４０に送電される。これにより、電子機器５１０のバッテリー９０を充電し、電子機器５１０内のデバイスを動作させることができる。
【００７８】
なお充電器５００の電源は、ＵＳＢ（ＵＳＢケーブル）による電源であってもよい。また、本実施形態が適用される電子機器５１０としては種々の機器を想定できる。例えば補聴器、腕時計、生体情報の測定装置（脈波等を測定するウェアラブル機器）、携帯情報端末（スマートフォン、携帯電話機等）、コードレス電話器、シェーバー、電動歯ブラシ、リストコンピューター、ハンディターミナル、車載用機器、ハイブリッド車、電気自動車、電動バイク、或いは電動自転車などの種々の電子機器を想定できる。例えば本実施形態の制御装置（受電装置等）は、車、飛行機、バイク、自転車、或いは船舶等の種々の移動体に組み込むことができる。移動体は、例えばモーターやエンジン等の駆動機構、ハンドルや舵等の操舵機構、各種の電子機器（車載機器）を備えて、地上や空や海上を移動する機器・装置である。
【００７９】
図６Ｂに模式的に示すように、送電装置１０から受電装置４０への電力伝送は、送電側に設けられた１次コイルＬ１（送電コイル）と、受電側に設けられた２次コイルＬ２（受電コイル）を電磁的に結合させて電力伝送トランスを形成することなどで実現される。これにより非接触での電力伝送が可能になる。なお無接点電力伝送の方式としては、電磁誘導方式又は磁界共鳴方式等の種々の方式を採用できる。
【００８０】
６．送電装置、受電装置、制御装置の構成
図７に本実施形態の制御装置２０、５０及びこれを含む送電装置１０、受電装置４０の構成例を示す。受電側の制御装置５０は、図３の回路装置３７０に対応する。なお、これらの各装置の構成は図７の構成に限定されず、その構成要素の一部を省略したり、他の構成要素（例えば報知部）を追加したり、接続関係を変更するなどの種々の変形実施が可能である。
【００８１】
図６Ａの充電器５００などの送電側の電子機器は送電装置１０を含む。また受電側の電子機器５１０は受電装置４０と負荷８０を含む。負荷８０は、バッテリー９０、電力供給対象１００を含むことができる。電力供給対象１００は、例えば処理部（ＤＳＰ等）などの各種のデバイスである。そして図７の構成により、１次コイルＬ１と２次コイルＬ２を電磁的に結合させて送電装置１０から受電装置４０に対して電力を伝送する無接点電力伝送（非接触電力伝送）システムが実現される。
【００８２】
送電装置１０（送電モジュール、１次モジュール）は、１次コイルＬ１、送電部１２（送電回路）、制御装置２０を含む。送電部１２は、電力伝送時において所定周波数の交流電圧を生成して、１次コイルＬ１に供給する。送電部１２は、１次コイルＬ１を駆動する送電ドライバーや、送電ドライバーに電源を供給する電源回路（例えば電源電圧制御部）や、１次コイルＬ１と共に共振回路を構成する少なくとも１つのキャパシター（コンデンサー）を含むことができる。
【００８３】
１次コイルＬ１（送電側コイル）は、２次コイルＬ２（受電側コイル）と電磁結合して電力伝送用トランスを形成する。例えば電力伝送が必要なときには、図６Ａ、図６Ｂに示すように、充電器５００の上に電子機器５１０を置き、１次コイルＬ１の磁束が２次コイルＬ２を通るような状態にする。一方、電力伝送が不要なときには、充電器５００と電子機器５１０を物理的に離して、１次コイルＬ１の磁束が２次コイルＬ２を通らないような状態にする。
【００８４】
制御装置２０は、送電側の各種制御を行うものであり、集積回路装置（ＩＣ）などにより実現できる。制御装置２０は、制御部２４（制御回路）、通信部３０（通信回路）を含む。なお送電部１２を制御装置２０に内蔵させるなどの変形実施も可能である。
【００８５】
制御部２４は、送電側の制御装置２０の各種の制御処理を実行する。例えば制御部２４は、送電部１２や通信部３０の制御を行う。具体的には制御部２４は、電力伝送、通信処理等に必要な各種のシーケンス制御や判定処理を行う。この制御部２４は、例えばゲートアレイ等の自動配置配線手法で生成されたロジック回路や、或いはマイクロコンピューターなどの各種のプロセッサーにより実現できる。
【００８６】
通信部３０は、受電装置４０との間での通信データの通信処理を行う。例えば通信部３０は、受電装置４０からの通信データを検出して受信するための処理を行う。
【００８７】
受電装置４０（受電モジュール、２次モジュール）は、２次コイルＬ２、制御装置５０を含む。制御装置５０（回路装置）は、受電側の各種制御を行うものであり、集積回路装置（ＩＣ）などにより実現できる。制御装置５０は、受電部５２（受電回路）、制御部５４（制御回路）、電力供給部５７（電力供給回路）、検出回路６８を含む。また通信部４６（通信回路）、記憶部４８（メモリー）を含むことができる。なお、受電部５２を制御装置５０の外部に設けるなどの変形実施も可能である。
【００８８】
受電部５２は、送電装置１０からの電力を受電する。具体的には受電部５２は、２次コイルＬ２の交流の誘起電圧を直流の整流電圧（ＶＣＣ）に変換して、出力する。
【００８９】
電力供給部５７は、受電部５２が受電した電力に基づいて、負荷８０に対して電力を供給する。例えば受電部５２が受電した電力を供給して、バッテリー９０を充電する。或いはバッテリー９０からの電力や、受電部５２が受電した電力を、電力供給対象１００に供給する。電力供給部５７は電力供給スイッチ４２、チャージポンプ回路６１を含む。電力供給スイッチ４２は、受電部５２が受電した電力を、負荷８０に供給するスイッチ（スイッチ素子、スイッチ回路）である。例えば電力供給スイッチ４２は、受電部５２が受電した電力を、負荷８０であるバッテリー９０に供給して、バッテリー９０を充電する。
【００９０】
制御部５４は、受電側の制御装置５０の各種の制御処理を実行する。例えば制御部５４は、通信部４６、電力供給部５７の制御を行う。また受電部５２や記憶部４８の制御を行うこともできる。制御部５４は、例えばゲートアレイ等の自動配置配線手法で生成されたロジック回路や、或いはマイクロコンピューターなどの各種のプロセッサーにより実現できる。
【００９１】
通信部４６は、送電装置１０に対して通信データを送信する通信を行う。或いは送電装置１０から通信データを受信する通信を行ってもよい。通信部４６の通信は、例えば負荷変調により実現できる。但し、通信部４６の通信方式は負荷変調には限定されない。例えば通信部４６は、１次コイルＬ１、２次コイルＬ２を用いて負荷変調以外の方式で通信を行ってもよい。或いは、１次コイルＬ１、２次コイルＬ２とは別のコイルを設け、この別のコイルを用いて負荷変調やそれ以外の通信方式で通信を行ってもよい。或いはＲＦなどの近接無線通信で通信を行ってもよい。
【００９２】
記憶部４８は、各種の情報を記憶する。記憶部４８は例えば不揮発性メモリーにより実現できるが、これに限定されるものではない。例えば不揮発性メモリー以外のメモリー（例えばＲＯＭ）により記憶部４８を実現してもよい。或いは、ヒューズ素子を用いた回路等により記憶部４８を実現してもよい。
【００９３】
負荷８０は、バッテリー９０、電力供給対象１００を含む。バッテリー９０は例えば充電可能な二次電池であり、例えばリチウム電池（リチウムイオン二次電池、リチウムイオンポリマー二次電池等）、ニッケル電池（ニッケル・水素蓄電池、ニッケル・カドミウム蓄電池等）などである。電力供給対象１００は、例えば、処理部（ＤＳＰ、マイコン）などのデバイス（集積回路装置）であり、受電装置４０を内蔵する電子機器５１０（図６Ａ）に設けられ、例えばバッテリー９０の電力供給対象となるデバイスである。なお、受電部５２が受電した電力を直接に電力供給対象１００に供給してもよい。
【００９４】
７．送電装置、受電装置、制御装置の詳細な構成例
図８に本実施形態の制御装置２０、５０及びこれを含む送電装置１０、受電装置４０の詳細な構成例を示す。受電側の制御装置５０は、図３の回路装置３７０に対応する。なお図８において図７と同様の構成については詳細な説明を省略する。
【００９５】
図８では、送電部１２は、１次コイルＬ１の一端を駆動する第１の送電ドライバーＤＲ１と、１次コイルＬ１の他端を駆動する第２の送電ドライバーＤＲ２と、電源電圧制御部１４（電源電圧制御回路）を含む。送電ドライバーＤＲ１、ＤＲ２の各々は、例えばパワーＭＯＳトランジスターにより構成されるインバーター回路（バッファー回路）などにより実現される。これらの送電ドライバーＤＲ１、ＤＲ２は、制御装置２０のドライバー制御回路２２により制御（駆動）される。即ち、制御部２４は、ドライバー制御回路２２を介して送電部１２を制御する。
【００９６】
電源電圧制御部１４は、送電ドライバーＤＲ１、ＤＲ２の電源電圧ＶＤＲＶを制御する。例えば制御部２４は、受電側から受信した通信データ（送電電力設定情報）に基づいて、電源電圧制御部１４を制御する。これにより、送電ドライバーＤＲ１、ＤＲ２に供給される電源電圧ＶＤＲＶが制御されて、例えば送電電力の可変制御等が実現される。この電源電圧制御部１４は、例えばＤＣＤＣコンバーターなどにより実現できる。例えば電源電圧制御部１４は、電源からの電源電圧（例えば５Ｖ）の昇圧動作を行って、送電ドライバー用の電源電圧ＶＤＲＶ（例えば６Ｖ〜１５Ｖ）を生成して、送電ドライバーＤＲ１、ＤＲ２に供給する。具体的には、送電装置１０から受電装置４０への送電電力を高くする場合には、電源電圧制御部１４は、送電ドライバーＤＲ１、ＤＲ２に供給する電源電圧ＶＤＲＶを高くし、送電電力を低くする場合には、電源電圧ＶＤＲＶを低くする。
【００９７】
報知部１６（報知装置。例えば表示部（表示装置））は、無接点電力伝送システムの各種状態（電力伝送中、ＩＤ認証等）を、光や音や画像などを用いて報知（表示）するものであり、例えばＬＥＤやブザーやＬＣＤなどにより実現できる。
【００９８】
送電側の制御装置２０は、ドライバー制御回路２２、制御部２４、通信部３０、クロック生成回路３７、発振回路３８を含む。ドライバー制御回路２２（プリドライバー）は、送電ドライバーＤＲ１、ＤＲ２を制御する。例えばドライバー制御回路２２は、送電ドライバーＤＲ１、ＤＲ２を構成するトランジスターのゲートに対して制御信号（駆動信号）を出力し、送電ドライバーＤＲ１、ＤＲ２により１次コイルＬ１を駆動させる。発振回路３８は、例えば水晶発振回路などにより構成され、１次側のクロック信号を生成する。クロック生成回路３７は、送電周波数（駆動周波数）を規定する駆動クロック信号等を生成する。そしてドライバー制御回路２２は、この駆動クロック信号や制御部２４からの制御信号などに基づいて、所与の周波数（送電周波数）の制御信号を生成し、送電部１２の送電ドライバーＤＲ１、ＤＲ２に出力して、制御する。
【００９９】
受電側の制御装置５０（回路装置）は、受電部５２、制御部５４、負荷変調部５６（負荷変調回路）、電力供給部５７、不揮発性メモリー６２、検出部６４（検出回路）、検出回路６８を含む。
【０１００】
受電部５２は、複数のトランジスターやダイオードなどにより構成される整流回路５３を含む。整流回路５３は、２次コイルＬ２の交流の誘起電圧を直流の整流電圧ＶＣＣに変換して、出力する。
【０１０１】
負荷変調部５６（広義には通信部）は負荷変調を行う。例えば負荷変調部５６は電流源ＩＳを有し、この電流源ＩＳを用いて負荷変調を行う。具体的には、負荷変調部５６は電流源ＩＳ（定電流源）とスイッチ素子ＳＷを有する。電流源ＩＳとスイッチ素子ＳＷは、例えば整流電圧ＶＣＣのノードＮＶＣとＧＮＤ（広義には低電位側電源）のノードとの間に直列に設けられる。そして、例えば制御部５４からの制御信号に基づいてスイッチ素子ＳＷがオン又はオフにされ、ノードＮＶＣからＧＮＤに流れる電流源ＩＳの電流（定電流）をオン又はオフにすることで、負荷変調が実現される。
【０１０２】
なお、ノードＮＶＣにはキャパシターＣＭの一端が接続される。このキャパシターＣＭは例えば制御装置５０の外付け部品として設けられる。またスイッチ素子ＳＷはＭＯＳのトランジスターなどにより実現できる。このスイッチ素子ＳＷは、電流源ＩＳの回路を構成するトランジスターとして設けられるものであってもよい。また負荷変調部５６は図８の構成に限定されず、例えば電流源ＩＳの代わりとして抵抗を用いるなどの種々の変形実施が可能である。
【０１０３】
電力供給部５７は充電部５８と放電部６０を含む。充電部５８はバッテリー９０の充電（充電制御）を行う。例えば充電部５８は、受電部５２からの整流電圧ＶＣＣ（広義には直流電圧）に基づく電圧が供給されて、バッテリー９０を充電する。この充電部５８は、電力供給スイッチ４２とＣＣ充電回路５９を含むことができる。ＣＣ充電回路５９は、バッテリー９０のＣＣ（Constant-Current）充電を行う回路である。
【０１０４】
放電部６０はバッテリー９０の放電動作を行う。例えば放電部６０は、バッテリー９０の放電動作を行って、バッテリー９０からの電力を電力供給対象１００に対して供給する。例えば放電部６０は、バッテリー９０からのバッテリー電圧ＶＢＡＴが供給され、出力電圧ＶＯＵＴを電力供給対象１００に供給する。この放電部６０はチャージポンプ回路６１を含むことができる。チャージポンプ回路６１は、バッテリー電圧ＶＢＡＴを降圧（例えば１／３降圧）して、出力電圧ＶＯＵＴ（ＶＢＡＴ／３）を電力供給対象１００に対して供給する。この放電部６０（チャージポンプ回路）は、例えばバッテリー電圧ＶＢＡＴを電源電圧として動作する。
【０１０５】
不揮発性メモリー６２（広義には記憶部）は、各種の情報を記憶する不揮発性のメモリーデバイスである。この不揮発性メモリー６２は例えば受電装置４０のステータス情報等の各種の情報を記憶する。不揮発性メモリー６２としては、例えばＥＥＰＲＯＭなどを用いることができる。ＥＥＰＲＯＭとしては例えばＭＯＮＯＳ（Metal-Oxide-Nitride-Oxide-Silicon）型のメモリーを用いることができる。例えばＭＯＮＯＳ型のメモリーを用いたフラッシュメモリーを用いることができる。或いはＥＥＰＲＯＭとして、フローティングゲート型などの他のタイプのメモリーを用いてもよい。
【０１０６】
検出部６４は各種の検出処理を行う。例えば検出部６４は、整流電圧ＶＣＣやバッテリー電圧ＶＢＡＴ等を監視して、各種の検出処理を実行する。具体的には検出部６４はＡ／Ｄ変換回路６５を有し、整流電圧ＶＣＣやバッテリー電圧ＶＢＡＴに基づく電圧や、不図示の温度検出部からの温度検出電圧などを、Ａ／Ｄ変換回路６５によりＡ／Ｄ変換し、得られたデジタルのＡ／Ｄ変換値を用いて検出処理を実行する。検出部６４が行う検出処理としては、過放電、過電圧、過電流、或いは温度異常（高温、低温）の検出処理を想定できる。
【０１０７】
そして図８では、負荷変調部５６は、受電部５２の出力電圧ＶＣＣが第１の電圧（ＶＳＴ）よりも高くなって着地が検出された場合に、負荷変調を開始し、取り去りが検出された場合に、負荷変調を停止する。具体的には負荷変調部５６は、電子機器５１０の着地が検出された場合に、負荷変調を開始する。送電装置１０（制御部２４）は、例えば受電装置４０（負荷変調部５６）が負荷変調を開始したことを条件に、送電部１２による通常送電を開始させる。そして電子機器５１０の取り去りが検出された場合に、負荷変調部５６は負荷変調を停止する。送電装置１０（制御部２４）は、負荷変調が継続されている間は、送電部１２による通常送電を継続させる。即ち、負荷変調が非検出となった場合に、通常送電を停止させ、例えば着地検出用の間欠送電を送電部１２に行わせる。この場合に受電側の制御部５４は、受電部５２の出力電圧ＶＣＣに基づいて、着地検出、取り去り検出を行うことができる。
【０１０８】
また図８では、図７の通信部４６が、負荷変調により通信データを送信する負荷変調部５６により実現されている。具体的には、負荷変調部５６は、送電装置１０（制御装置２０）に送信する通信データ（通信データのビット）の第１の論理レベル（例えば「１」）については、第１の負荷状態と第２の負荷状態で構成される負荷変調パターンが第１のパターン（第１のビットパターン）となる負荷変調を行う。一方、送電装置１０に送信する通信データ（通信データのビット）の第２の論理レベル（例えば「０」）については、負荷変調パターンが第１のパターンとは異なる第２のパターン（第２のビットパターン）となる負荷変調を行う。
【０１０９】
一方、送電側の通信部３０は、負荷変調パターンが第１のパターンである場合には、第１の論理レベルの通信データであると判断し、負荷変調パターンが第２のパターンである場合には、第２の論理レベルの通信データであると判断する。
【０１１０】
ここで第１のパターンは、例えば第１の負荷状態の期間の幅が第２のパターンに比べて長くなるパターンである。例えば通信部３０は、第１のパターンにおける第１の負荷状態の期間内に設定された第１のサンプリングポイントから、所与のサンプリング間隔で負荷変調パターンのサンプリングを行って、所与のビット数（例えば１６ビット、６４ビット）の通信データを取り込む。
【０１１１】
このような負荷変調パターンを用いた手法によれば、負荷変調による負荷変動についての検出感度や検出のノイズ耐性の向上を図れる。これにより、通信開始電圧（負荷変調開始電圧）である第１の電圧を低い電圧に設定することが可能になる。この結果、広い距離範囲で着地を検出して、通信を開始し、バッテリー９０の充電のための制御（例えば送電電力制御）を送電側に行わせることが可能になる。
【０１１２】
また電力供給部５７は、受電部５２が受電した電力に基づいて、バッテリー９０を充電する充電部５８と、バッテリー９０の放電動作を行って、バッテリー９０からの電力を電力供給対象１００に対して供給する放電部６０を含む。
【０１１３】
そして制御部５４（放電系の制御部）は、着地が検出された場合に、放電部６０の放電動作を停止する。即ち図６Ａにおいて電子機器５１０の着地が検出された場合に、放電部６０の放電動作（ＶＯＵＴの供給）を停止して、バッテリー９０の電力が電力供給対象１００に放電されないようにする。そして制御部５４は、取り去り期間（電子機器５１０が取り去られている期間）において、放電部６０に放電動作を行わせる。この放電動作により、バッテリー９０からの電力が放電部６０を介して電力供給対象１００に供給されるようになる。
【０１１４】
８．無接点電力伝送システムの動作シーケンス
次に本実施形態の無接点電力伝送システムの動作シーケンスの一例について説明する。図９は動作シーケンスの概要を説明する図である。
【０１１５】
図９のＡ１では、受電装置４０を有する電子機器５１０が、送電装置１０を有する充電器５００に上に置かれておらず、取り去り状態になっている。この場合にはスタンバイステートとなる。このスタンバイステートでは、送電装置１０の送電部１２は、着地検出のための間欠送電を行って、電子機器５１０の着地を検出する状態になる。またスタンバイモードでは、受電装置４０では、電力供給対象１００への放電動作がオンになっており、電力供給対象１００への電力供給がイネーブルになっている。これにより、処理部等の電力供給対象１００は、バッテリー９０からの電力が供給されて動作可能になる。
【０１１６】
図９のＡ２に示すように、電子機器５１０が充電器５００に上に置かれ、着地が検出されると、通信チェック＆充電ステートになる。この通信チェック＆充電ステートでは、送電装置１０の送電部１２は、連続送電である通常送電を行う。この際に、電力伝送の状態などに応じて電力が可変に変化する電力制御を行いながら、通常送電を行う。またバッテリー９０の充電状態に基づく制御も行われる。電力伝送の状態は、例えば１次コイルＬ１、２次コイルＬ２の位置関係（コイル間距離等）などにより決まる状態であり、例えば受電部５２の整流電圧ＶＣＣなどの情報に基づいて判断できる。バッテリー９０の充電状態は、例えばバッテリー電圧ＶＢＡＴなどの情報に基づいて判断できる。
【０１１７】
また通信チェック＆充電ステートでは、受電装置４０の充電部５８の充電動作がオンになり、受電部５２が受電した電力に基づいてバッテリー９０の充電が行われる。また放電部６０の放電動作がオフになり、バッテリー９０からの電力が、電力供給対象１００に供給されなくなる。また通信チェック＆充電ステートでは、負荷変調部５６の負荷変調により、通信データが送電側に送信される。例えば電力伝送状態情報（ＶＣＣ等）や、充電状態情報（ＶＢＡＴや各種のステータスフラグ等）や、温度などの情報を含む通信データが、通常送電期間中の常時の負荷変調により、受電側から送電側に送信される。
【０１１８】
図９のＡ３に示すように、バッテリー９０の満充電が検出されると、満充電スタンバイステートになる。この満充電スタンバイステートでは、送電部１２は、例えば取り去り検出のための間欠送電を行って、電子機器５１０の取り去りを検出する状態になる。また放電部６０の放電動作はオフのままとなり、電力供給対象１００への電力供給もディスエーブルのままとなる。
【０１１９】
図９のＡ４に示すように電子機器５１０の取り去りが検出されると、Ａ５に示すように電子機器５１０が使用状態になり、受電側の放電動作がオンになる。具体的には、放電部６０の放電動作がオフからオンに切り替わり、バッテリー９０からの電力が放電部６０を介して電力供給対象１００に供給される。これにより、バッテリー９０からの電力が供給されて、処理部等の電力供給対象１００が動作し、ユーザーが電子機器５１０を通常に使用できる状態となる。
【０１２０】
以上のように本実施形態では図９のＡ１に示すように、電子機器５１０の着地が検出されると、通常送電が行われ、この通常送電期間において常時の負荷変調が行われる。また着地が検出されると、放電部６０の放電動作が停止する。そして、この常時の負荷変調では、送電側の電力制御のための情報や受電側のステータスを表す情報を含む通信データが、受電側から送電側に送信される。例えば電力制御のための情報（電力伝送状態情報）を通信することで、例えば１次コイルＬ１と２次コイルＬ２の位置関係等に応じた最適な電力制御を実現できる。また受電側のステータスを表す情報を通信することで、最適で安全な充電環境を実現できる。そして本実施形態では、負荷変調が継続している間は、通常送電も継続され、放電部６０の放電動作もオフのままになる。
【０１２１】
また本実施形態では図９のＡ３に示すように、バッテリー９０の満充電が検出されると、通常送電が停止し、取り去り検出用の間欠送電が行われる。そしてＡ４、Ａ５に示すように、取り去りが検出されて、取り去り期間になると、放電部６０の放電動作が行われる。これによりバッテリー９０からの電力が電力供給対象１００に供給されて、電子機器５１０の通常動作が可能になる。なお、着地検出や取り去り検出は、受電部５２の出力電圧ＶＣＣに基づいて行われる。
【０１２２】
このように本実施形態では、電子機器５１０のバッテリー９０の充電期間（通常送電期間）においては、電力供給対象１００への放電動作がオフになるため、充電期間において電力供給対象１００により無駄に電力が消費されてしまう事態を抑制できる。
【０１２３】
そして、電子機器５１０の取り去りが検出されると、通常送電から間欠送電に切り替わると共に、電力供給対象１００への放電動作がオンになる。このように放電動作がオンになることで、バッテリー９０からの電力が電力供給対象１００に供給されるようになり、処理部（ＤＳＰ）等の電力供給対象１００の通常動作が可能になる。このようにすることで、例えば電子機器５１０が充電器５００の上に置かれる充電期間においては動作しないようなタイプの電子機器５１０（例えば、補聴器、ウェアラブル機器等のユーザーが装着する電子機器）において、好適な無接点電力伝送の動作シーケンスを実現できる。
【０１２４】
図１０、図１１、図１２は本実施形態の無接点電力伝送システムの動作シーケンスの詳細を説明するための信号波形図である。
【０１２５】
図１０のＢ１は、図９のＡ１のスタンバイステートであり、着地検出用の間欠送電が行われている。即ち、期間ＴＬ１の間隔毎に期間ＴＬ２の間隔の送電が行われる。ＴＬ１の間隔は例えば３秒であり、ＴＬ２の間隔は例えば５０ミリ秒である。そして図１０のＢ２、Ｂ３では、整流電圧ＶＣＣは電圧ＶＳＴ以下（第１の電圧以下）であるため、負荷変調による通信は行われない。
【０１２６】
一方、Ｂ４では整流電圧ＶＣＣが電圧ＶＳＴ（例えば４．５Ｖ）を超えたため、Ｂ５に示すように負荷変調部５６が負荷変調を開始する。即ち、Ｂ２、Ｂ３ではＬ１、Ｌ２のコイルが十分には電磁的結合状態になっていないが、Ｂ４ではＬ１、Ｌ２のコイルが図６Ｂに示すように適正な電磁的結合状態になっている。このため、整流電圧ＶＣＣが上昇して、電圧ＶＳＴを超え、Ｂ５に示すように負荷変調が開始する。そして、この負荷変調により、Ｂ６に示すような通信データが送電側に送信される。このＢ５の負荷変調は、Ｂ７に示す着地検出用の間欠送電により整流電圧ＶＣＣが上昇したことにより開始している。
【０１２７】
具体的には、受電側は、着地検出用のダミーデータ（例えば６４ビットの「０」）を送信する。送電側は、このダミーデータを検出（例えば８ビットの「０」の検出）することで、受電側の着地を検出して、Ｂ７に示すように通常送電（連続送電）を開始する。
【０１２８】
次に受電側は、ＩＤ情報や整流電圧ＶＣＣの情報を送信する。前述したように、ＩＤ情報の送信に対して送電側が応答を行うことで、簡易的な認証処理が実現される。
【０１２９】
また送電側は、整流電圧ＶＣＣの情報である送電電力設定情報を受信して、送電電力の制御を行う。この送電側の送電電力の制御により、Ｂ８に示すように整流電圧ＶＣＣが上昇する。そしてＢ９に示すように、ＶＣＣが電圧ＶＣＣＬ（第２の電圧）を超えると、バッテリー９０への充電が開始する。
【０１３０】
このように本実施形態では、負荷変調（通信）を開始する電圧ＶＳＴを低く設定できる。これにより送電側の駆動電圧が高く設定されることによる耐圧異常等の不具合の発生を抑制できる。そして、開始した負荷変調により、送電電力設定情報（ＶＣＣ）を送電側に送信することで、送電側の送電電力の制御が行われ、この送電電力の制御により、Ｂ８に示すように整流電圧ＶＣＣが上昇する。そして、整流電圧ＶＣＣが上昇して、Ｂ９に示すように充電可能電圧である電圧ＶＣＣＬを超えると、バッテリー９０の充電が開始するようになる。従って、広い距離範囲での着地検出と、耐圧異常等の不具合の発生の抑制とを、両立して実現できるようになる。
【０１３１】
図１１のＣ１では、バッテリー９０の充電が行われる通常送電期間において、電子機器５１０が取り去られている。このＣ１の取り去りは、Ｃ２、Ｃ３に示すように、バッテリー９０の満充電前（満充電フラグ＝Ｌレベル）の取り去りである。
【０１３２】
このように電子機器５１０の取り去りが行われると、送電側の電力が受電側に伝達されなくなり、整流電圧ＶＣＣが低下する。そしてＣ４に示すように例えばＶＣＣ＜３．１Ｖになると、Ｃ５に示すように負荷変調部５６による負荷変調が停止する。負荷変調が停止すると、Ｃ６に示すように送電部１２による通常送電が停止する。
【０１３３】
また、整流電圧ＶＣＣが低下し、判定電圧である例えば３．１Ｖを下回ると、不図示の受電側のスタートキャパシターの放電が開始する。このスタートキャパシターは、受電側の放電動作の起動用（起動期間の計測用）のキャパシターであり、例えば受電側の制御装置５０の外付け部品として設けられる。そして、整流電圧ＶＣＣが判定電圧（３．１Ｖ）を下回ってから、起動期間ＴＳＴが経過すると、Ｃ８に示すように放電部６０の放電動作がオフからオンに切り替わり、バッテリー９０からの電力が電力供給対象１００に供給されるようになる。また送電部１２は、通常送電を停止した後、Ｃ９に示すように、着地検出用の間欠送電を行うようになる。
【０１３４】
なお本実施形態では受電側の制御部５４として、充電系の制御部と、放電系の制御部が設けられている。充電系の制御部は、受電部５２の整流電圧ＶＣＣ（出力電圧）による電源電圧が供給されて動作する。一方、放電系の制御部や放電部６０は、バッテリー電圧ＶＢＡＴによる電源電圧が供給されて動作する。そしてスタートキャパシターの充放電の制御や、放電部６０の放電動作の制御（オン・オフ制御）は、放電系の制御部が行うことになる。
【０１３５】
図１２のＤ１では、満充電フラグがアクティブレベルであるＨレベルになっており、バッテリー９０の満充電が検出されている。このように満充電が検出されると、Ｄ２に示すように満充電後の取り去り検出用の間欠送電が行われる。即ち、期間ＴＲ１の間隔毎に期間ＴＲ２の間隔の送電が行われる。ＴＲ１の間隔は例えば１．５秒であり、ＴＲ２の間隔は例えば５０ミリ秒である。取り去り検出用の間欠送電の期間ＴＲ１の間隔は、着地検出用の間欠送電の期間ＴＬ１の間隔に比べて、短くなっている。
【０１３６】
この取り去り検出用の間欠送電により、図１２のＤ３、Ｄ４に示すように整流電圧がＶＣＣ＞ＶＳＴとなり、Ｄ５、Ｄ６に示すように負荷変調が行われる。送電側は、この負荷変調（空の通信データ等）を検出することで、電子機器５１０が未だ取り去られていないことを検出できる。
【０１３７】
そして、前述のスタートキャパシターにより設定されるＤ７に示す起動期間ＴＳＴの間隔（例えば３秒より長い）に比べて、取り去り検出用の間欠送電の期間ＴＲ１の間隔（例えば１．５秒）は短い。従って、電子機器５１０が取り去られていない状態では、スタートキャパシターの電圧（充電電圧）は、放電動作オンのための閾値電圧ＶＴを下回らず、Ｄ８に示すように放電動作のオフからオンへの切り替わりは行われない。
【０１３８】
一方、Ｄ９では、電子機器５１０が取り去られている。そして、Ｄ４に示す取り去り検出用の間欠送電の期間ＴＲ２の終了後に、Ｄ１０に示すように、整流電圧ＶＣＣは判定電圧である３．１Ｖを下回るため、Ｄ７に示す起動期間ＴＳＴの計測がスタートする。そしてＤ１１では、スタートキャパシターの電圧が放電動作オンのための閾値電圧ＶＴを下回っており、起動期間ＴＳＴの経過が検出されている。これにより、放電部６０の放電動作がオフからオンに切り替わり、バッテリー９０からの電力が電力供給対象１００に供給されるようになる。またＤ１２に示すように、電子機器５１０の着地検出用の間欠送電が行われるようになる。
【０１３９】
以上のように本実施形態では、図１０のＢ５に示すように受電装置４０が負荷変調を開始したことを条件に、Ｂ７に示すように送電部１２による通常送電が開始する。そしてＢ５の負荷変調が継続されている間は、Ｂ７に示す通常送電は継続する。具体的には図１１のＣ５に示すように負荷変調が非検出となった場合に、Ｃ６に示すように送電部１２による通常送電が停止する。そしてＣ９に示すように送電部１２による着地検出用の間欠送電が行われるようになる。
【０１４０】
このように本実施形態では、負荷変調の開始を条件に通常送電を開始し、負荷変調が継続されている間は通常送電を継続し、負荷変調が非検出になると通常送電を停止するという動作シーケンスを採用している。このようにすれば、シンプルで簡素な動作シーケンスで、無接点電力伝送と、負荷変調による通信を実現できるようになる。また、通常送電期間中において、常時の負荷変調による通信を行うことで、電力伝送の状態等に応じた効率的な無接点電力伝送も実現できるようになる。
【０１４１】
９．通信手法
図１３は、負荷変調による通信手法を説明する図である。図１３に示すように、送電側では、送電ドライバーＤＲ１、ＤＲ２が、電源電圧制御部１４から供給された電源電圧ＶＤＲＶに基づいて動作して、１次コイルＬ１を駆動する。
【０１４２】
一方、受電側（２次側）では、２次コイルＬ２のコイル端電圧を受電部５２の整流回路５３が整流し、ノードＮＶＣに整流電圧ＶＣＣが出力される。なお、１次コイルＬ１とキャパシターＣＡ１により送電側の共振回路が構成され、２次コイルＬ２とキャパシターＣＡ２により受電側の共振回路が構成されている。
【０１４３】
受電側では、負荷変調部５６のスイッチ素子ＳＷをオン・オフさせることで、電流源ＩＳの電流ＩＤ２をノードＮＶＣからＧＮＤ側に間欠的に流して、受電側の負荷状態（受電側の電位）を変動させる。
【０１４４】
送電側では、負荷変調による受電側の負荷状態の変動により、電源ラインに設けられたセンス抵抗ＲＣＳに流れる電流ＩＤ１が変動する。例えば送電側の電源（例えば図６Ａの電源アダプター５０２等の電源装置）と電源電圧制御部１４との間に、電源に流れる電流を検出するためのセンス抵抗ＲＣＳが設けられている。電源電圧制御部１４は、このセンス抵抗ＲＣＳを介して電源から電源電圧が供給される。そして負荷変調による受電側の負荷状態の変動により、電源からセンス抵抗ＲＣＳに流れる電流ＩＤ１が変動し、通信部３０が、この電流変動を検出する。そして通信部３０は、検出結果に基づいて、負荷変調により送信される通信データの検出処理を行う。
【０１４５】
１０．受電部、充電部
図１４に、受電部５２、充電部５８等の詳細な構成例を示す。図１４に示すように、受電部５２の整流回路５３は、整流用のトランジスターＴＡ１、ＴＡ２、ＴＡ３、ＴＡ４と、これらのトランジスターＴＡ１〜ＴＡ４を制御する整流制御部５１（整流制御回路）を有する。トランジスターＴＡ１〜ＴＡ４の各々のドレイン・ソース間にはボディーダイオードが設けられている。整流制御部５１は、トランジスターＴＡ１〜ＴＡ４のゲートに対して制御信号を出力して、整流電圧ＶＣＣを生成するための整流制御を行う。
【０１４６】
整流電圧ＶＣＣのノードＮＶＣとＧＮＤのノードとの間には抵抗ＲＢ１、ＲＢ２が直列に設けられている。整流電圧ＶＣＣを、抵抗ＲＢ１、ＲＢ２で電圧分割した電圧ＡＣＨ１が、例えばＡ／Ｄ変換回路６５に入力される。これにより整流電圧ＶＣＣの監視が可能になり、ＶＣＣに基づく電力制御や、ＶＣＣに基づく通信開始や充電開始の制御を実現できる。
【０１４７】
レギュレーター６７は、整流電圧ＶＣＣの電圧調整（レギュレート）を行って、電圧ＶＤ５を出力する。この電圧ＶＤ５は、トランジスターＴＣ１を介して、充電部５８のＣＣ充電回路５９に供給される。トランジスターＴＣ１は、例えばバッテリー電圧ＶＢＡＴが所与の電圧を超える過電圧の検出時において、制御信号ＧＣ１に基づいてオフになる。なお制御装置５０の各回路（放電部６０等の放電系の回路を除く回路）は、この電圧ＶＤ５に基づく電圧（ＶＤ５をレギュレートした電圧等）を電源電圧として動作する。
【０１４８】
ＣＣ充電回路５９は、トランジスターＴＣ２と、演算増幅器ＯＰＣと、抵抗ＲＣ１と、電流源ＩＳＣを有する。演算増幅器ＯＰＣの仮想接地により、抵抗ＲＣ１の一端の電圧（非反転入力端子の電圧）と、外付け部品であるセンス抵抗ＲＳの他端の電圧ＶＣＳ２（反転入力端子の電圧）とが等しくなるように、トランジスターＴＣ２が制御される。信号ＩＣＤＡの制御により電流源ＩＳＣに流れる電流をＩＤＡとし、センス抵抗ＲＳに流れる電流をＩＲＳとする。すると、ＩＲＳ×ＲＳ＝ＩＤＡ×ＲＣ１となるように、制御される。即ち、このＣＣ充電回路５９では、センス抵抗ＲＳに流れる電流ＩＲＳ（充電電流）が、信号ＩＣＤＡにより設定される一定の電流値になるように制御される。これにより、ＣＣ（Constant-Current）充電が可能になる。
【０１４９】
トランジスターＴＣ３は、ＣＣ充電回路５９の出力ノードと、バッテリー電圧ＶＢＡＴの供給ノードＮＢＡＴとの間に設けられる。Ｐ型のトランジスターＴＣ３のゲートには、Ｎ型のトランジスターＴＣ４のドレインが接続されており、トランジスターＴＣ４のゲートには、制御部５４からの充電の制御信号ＣＨＯＮが入力されている。また、トランジスターＴＣ３のゲートとノードＮＢＡＴの間には、プルアップ用の抵抗ＲＣ２が設けられ、トランジスターＴＣ４のゲートとＧＮＤ（低電位側電源）のノードの間には、プルダウン用の抵抗ＲＣ３が設けられている。トランジスターＴＣ３（ＴＣ４）により、図７の電力供給スイッチ４２が実現される。
【０１５０】
充電時には、制御部５４が、制御信号ＣＨＯＮをアクティブレベル（Ｈレベル）にする。これにより、Ｎ型のトランジスターＴＣ４がオンになって、Ｐ型のトランジスターＴＣ３のゲート電圧がＬレベルになる。この結果、トランジスターＴＣ３がオンになり、バッテリー９０の充電が行われるようになる。
【０１５１】
一方、制御部５４が、制御信号ＣＨＯＮを非アクティブレベル（Ｌレベル）にすると、Ｎ型のトランジスターＴＣ４がオフになる。そしてＰ型のトランジスターＴＣ３のゲート電圧が、抵抗ＲＣ２によりバッテリー電圧ＶＢＡＴにプルアップされることで、トランジスターＴＣ３がオフになり、バッテリー９０の充電が停止する。
【０１５２】
また、充電系の電源電圧が回路の動作下限電圧よりも低くなった場合には、トランジスターＴＣ４のゲート電圧が、抵抗ＲＣ３によりＧＮＤにプルダウンされることで、トランジスターＴＣ４がオフになる。そしてトランジスターＴＣ３のゲート電圧が、抵抗ＲＣ２によりバッテリー電圧ＶＢＡＴにプルアップされることで、トランジスターＴＣ３がオフになる。このようにすれば、例えば受電側が取り去られ、電源電圧が動作下限電圧よりも低くなった場合に、トランジスターＴＣ３がオフになることで、ＣＣ充電回路５９の出力ノードとバッテリー９０のノードＮＢＡＴとの間の経路が電気的に遮断される。これにより、電源電圧が動作下限電圧以下になった場合におけるバッテリー９０からの逆流が防止されるようになる。
【０１５３】
またノードＮＢＡＴとＧＮＤのノードとの間には抵抗ＲＣ４、ＲＣ５が直列に設けられており、バッテリー電圧ＶＢＡＴを、抵抗ＲＣ４、ＲＣ５で電圧分割した電圧ＡＣＨ２が、Ａ／Ｄ変換回路６５に入力される。これによりバッテリー電圧ＶＢＡＴの監視が可能になり、バッテリー９０の充電状態に応じた各種の制御を実現できる。またバッテリー９０の近くには、サーミスターＴＨ（広義には温度検出部）が設けられている。このサーミスターＴＨの一端の電圧ＲＣＴが制御装置５０に入力され、これによりバッテリー温度の測定が可能になる。
【０１５４】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また本実施形態及び変形例の全ての組み合わせも、本発明の範囲に含まれる。またチャージポンプ回路、検出回路、回路装置、電子機器、無接点電力伝送システムの構成・動作等も、本実施形態で説明したものに限定されず、種々の変形実施が可能である。
【符号の説明】
【０１５５】
１０…送電装置、１２…送電部、１４…電源電圧制御部、１６…報知部、
２０…制御装置、２２…ドライバー制御回路、２４…制御部、３０…通信部、
３７…クロック生成回路、３８…発振回路、４０…受電装置、
４２…電力供給スイッチ、４６…通信部、４８…記憶部、５０…制御装置、
５１…整流制御部、５２…受電部、５３…整流回路、５４…制御部、
５６…負荷変調部、５７…電力供給部、５８…充電部、５９…ＣＣ充電回路、
６０…放電部、６１…チャージポンプ回路、６２…不揮発性メモリー、
６４…検出部、６５…Ａ／Ｄ変換回路、６７…レギュレーター、
６８…検出回路、８０…負荷、９０…バッテリー、１００…電力供給対象、
３００…補聴器、３１０…処理部、３２０…マイクロフォン、
３３０…スピーカー、３４０…メモリー、３５０…操作部、３６０…接続部、
３７０…回路装置、４００…チューニング装置、５００…充電器、
５０２…電源アダプター、５１０…電子機器、５１４…スイッチ部、
ＣＢ１〜ＣＢ３…キャパシター、Ｌ１…１次コイル、Ｌ２…２次コイル、
ＳＢ１〜ＳＢ７…スイッチ素子、ＳＤＴ…検出信号、
ＶＢＡＴ…バッテリー電圧、ＶＣＣ…整流電圧
【図１】
0006668799.tif 000002
【図２】
0006668799.tif 000003
【図３】
0006668799.tif 000004
【図４】
0006668799.tif 000005
【図５Ａ】
0006668799.tif 000006
【図５Ｂ】
0006668799.tif 000007
【図６Ａ】
0006668799.tif 000008
【図６Ｂ】
0006668799.tif 000009
【図７】
0006668799.tif 000010
【図８】
0006668799.tif 000011
【図９】
0006668799.tif 000012
【図１０】
0006668799.tif 000013
【図１１】
0006668799.tif 000014
【図１２】
0006668799.tif 000015
【図１３】
0006668799.tif 000016
【図１４】
0006668799.tif 000017